(57)【特許請求の範囲】
【請求項１】
抽出原料を収容した抽出器(17,25)が、本体(15)に配設されたガイドレール(16,16)に対して本体前側から着脱可能で、該ガイドレール(16,16)に沿って移動することで抽出位置にセットした抽出器内の抽出原料に対して、抽出位置の上方に配設した散湯ノズル(19)から熱湯を散布供給することで抽出飲料を滴下するようにした飲料抽出装置において、
前記抽出位置にセットされた抽出器(17,25)における本体前面を向く端部が当接して、抽出器(17,25)の本体前側への引出しを阻止する下方の阻止位置と、該引出しを許容する上方の解除位置との間を上下動可能なストッパ(23,26)を、前記本体(15)の前部に配設し、
前記ストッパ(23,26)を常には阻止位置に臨ませ、該ストッパ(23,26)を解除位置まで上動させることで抽出器(17,25)の本体前側への引出しが許容されるよう構成すると共に、
前記ストッパ(23,26)の前面に、下端から上側に向かうにつれて前方に傾斜する案内面(23a,26a)を形成して、該案内面(23a,26a)に前記抽出器(17,25)を押付けることでストッパ(23,26)を解除位置へ上動させ得るようにした
ことを特徴とする抽出器の誤操作防止装置。
【請求項２】
前記抽出器(25)は、抽出位置において水平回動することで抽出飲料の滴下位置が切換えられるよう構成され、前記ストッパ(26)にはその阻止位置において、滴下位置を切換えた状態における抽出器(25)の本体前側に臨む部位に設けた取手(18b)が嵌る凹部(26c,26d)が形成されている請求項１記載の抽出器の誤操作防止装置。
【請求項３】
抽出原料を収容した抽出器(17,25)が、本体(15)に配設されたガイドレール(16,16)に対して本体前側から着脱可能で、該ガイドレール(16,16)に沿って移動することで抽出位置にセットした抽出器内の抽出原料に対して、抽出位置の上方に配設した散湯ノズル(19)から熱湯を散布供給することで抽出飲料を滴下するようにした飲料抽出装置において、
前記本体(15)に、
前記抽出位置にセットされた抽出器(17,25)の本体前側への引出しを阻止する阻止位置、および該引出しを許容する解除位置の間を移動可能な阻止手段(32)と、
前記抽出器(17,25)が抽出位置にセットされたことを検知する検知手段(21)と、
前記阻止手段(32)を前記解除位置へ向けて付勢する圧縮コイルバネ(33)と、
前記阻止手段(32)に当接する回動可能な作動板(35)と、
一方の端部が前記作動板(35)に連結されると共に、他方の端部が駆動手段に連結され、該駆動手段の作動により引張り・弛緩作動することで前記作動板(35)を揺動させるワイヤ(36)とを配設し、
前記検知手段(21)の検知状態では、前記駆動手段の作動により前記ワイヤ(36)が引張られて前記作動板(35)が揺動することで、前記圧縮コイルバネ(33)の弾力に抗して前記阻止手段(32)を阻止位置に変化させるよう構成した
ことを特徴とする抽出器の誤操作防止装置。
【請求項４】
前記本体(15)には、散湯の開始により始めた抽出表示を、散湯が終了してから所定時間が経過するまで継続する表示手段(38,39)を備える請求項１〜３の何れかに記載の抽出器の誤操作防止装置。
【発明の詳細な説明】
【０００１】
【発明の属する技術分野】
この発明は、抽出器に収容したコーヒー豆等の抽出原料に熱湯を散布供給して抽出飲料を抽出する飲料抽出装置において、該装置から前記抽出器を不用意に取外すのを防止するための抽出器の誤操作防止装置に関するものである。
【０００２】
【従来の技術】
挽いたコーヒー豆に所要量の熱湯を散布供給してコーヒーを抽出する飲料抽出装置が、喫茶店やレストラン等で好適に使用されている。この飲料抽出装置の基本構造を一例として述べれば、所要量の熱湯が貯留される湯煎タンクと、フィルタと挽いたコーヒー豆とを収容する抽出器(抽出用濾過器)と、この抽出器の下方に配設される貯液タンクと、前記湯煎タンクと連通して熱湯を抽出器に散布供給する散湯管とから構成される。そして、湯煎タンク中の熱湯を散湯管を介して抽出器に収容したコーヒー豆に散布供給し、これにより抽出されて抽出器の抽出口から滴下したコーヒーが貯液タンクに貯留されるようになっている。
【０００３】
なお、前記飲料抽出装置の本体における散湯管の下方に一対のガイドレールが配設され、両ガイドレールに対して本体前側から前記抽出器が着脱可能に取付けられ、該抽出器をガイドレールに沿って本体後方に向けて移動して散湯管の直下の抽出位置にセットするよう構成されている。そして、前記フィルタやコーヒー豆の交換に際しては、抽出器をガイドレールに沿って本体前側に引出すことで本体から取外される。
【０００４】
【発明が解決しようとする課題】
前記飲料抽出装置では、前記抽出器はガイドレールに対して前後動可能に取付けられて自由に引出すことができるため、抽出作業中に作業者が誤って抽出器を本体から取外してしまうおそれがある。この場合は、散湯管からの熱湯や抽出器内に溜まっている熱湯が、装置が設置されているテーブルや床にこぼれて濡らす問題が指摘される。
【０００５】
【発明の目的】
本発明は、従来の技術に内在している前記欠点に鑑み、これを好適に解決するべく提案されたものであって、抽出作業中に抽出器を誤って取外すのを防止し得る抽出器の誤操作防止装置を提供することを目的とする。
【０００６】
【課題を解決するための手段】
前記課題を解決し、所期の目的を達成するため、本発明に係る抽出器の誤操作防止装置は、
抽出原料を収容した抽出器が、本体に配設されたガイドレールに対して本体前側から着脱可能で、該ガイドレールに沿って移動することで抽出位置にセットした抽出器内の抽出原料に対して、抽出位置の上方に配設した散湯ノズルから熱湯を散布供給することで抽出飲料を滴下するようにした飲料抽出装置において、
前記抽出位置にセットされた抽出器における本体前面を向く端部が当接して、抽出器の本体前側への引出しを阻止する下方の阻止位置と、該引出しを許容する上方の解除位置との間を上下動可能なストッパを、前記本体の前部に配設し、
前記ストッパを常には阻止位置に臨ませ、該ストッパを解除位置まで上動させることで抽出器の本体前側への引出しが許容されるよう構成すると共に、
前記ストッパの前面に、下端から上側に向かうにつれて前方に傾斜する案内面を形成して、該案内面に前記抽出器を押付けることでストッパを解除位置へ上動させ得るようにしたことを特徴とする。
また、前記課題を解決し、所期の目的を達成するため、本願の別発明に係る抽出器の誤操作防止装置は、
抽出原料を収容した抽出器が、本体に配設されたガイドレールに対して本体前側から着脱可能で、該ガイドレールに沿って移動することで抽出位置にセットした抽出器内の抽出原料に対して、抽出位置の上方に配設した散湯ノズルから熱湯を散布供給することで抽出飲料を滴下するようにした飲料抽出装置において、
前記本体に、
前記抽出位置にセットされた抽出器の本体前側への引出しを阻止する阻止位置、および該引出しを許容する解除位置の間を移動可能な阻止手段と、
前記抽出器が抽出位置にセットされたことを検知する検知手段と、
前記阻止手段を前記解除位置へ向けて付勢する圧縮コイルバネと、
前記阻止手段に当接する回動可能な作動板と、
一方の端部が前記作動板に連結されると共に、他方の端部が駆動手段に連結され、該駆動手段の作動により引張り・弛緩作動することで前記作動板を揺動させるワイヤとを配設し、
前記検知手段の検知状態では、前記駆動手段の作動により前記ワイヤが引張られて前記作動板が揺動することで、前記圧縮コイルバネの弾力に抗して前記阻止手段を阻止位置に変化させるよう構成したことを特徴とする。
【０００７】
【発明の実施の形態】
次に、本発明に係る抽出器の誤操作防止装置につき、好適な実施例を挙げて、添付図面を参照しながら以下説明する。
【０００８】
【第１実施例】
図１は、第１実施例に係る抽出器の誤操作防止装置を採用した飲料抽出装置の要部概略構成図であって、図に示す飲料抽出装置１０は、その筐体１１の内部に、熱湯が貯留される湯煎タンク(図示せず)と、抽出されたコーヒーが貯留される貯液タンク１２とが収納されると共に、該貯液タンク１２の液受入口１２ａは上方に開口している。また筐体１１の上部には、図２に示す如く、幅方向に離間して一対の側板１３,１３が立設され、両側板１３,１３間に抽出機構部１４が配設される。この抽出機構部１４は、箱状に形成された本体１５の下面に、前後方向に延在する一対のガイドレール１６,１６が幅方向に離間して平行に配設され(図３参照)、両ガイドレール１６,１６間に、抽出原料としての挽いたコーヒー豆がフィルタを介して収容される抽出器１７が着脱可能に取付けられるようになっている。
【０００９】
前記抽出器１７は、上方に開口する漏斗状の容器１８の上端外周にフランジ１８ａが設けられ、このフランジ１８ａが両ガイドレール１６,１６に摺動可能に載置されて、該抽出器１７はガイドレール１６,１６に沿って前後方向に移動可能に構成される。また容器１８の外部に取手１８ｂが配設されると共に、該容器１８の底部中央には抽出口１８ｃが形成されており、抽出器１７は取手１８ｂが前記本体１５の前側に臨む状態でガイドレール１６,１６間に取付けられるようになっている。なお、ガイドレール１６,１６に沿って前記本体１５の後方に向けて抽出器１７を移動させることで、該抽出器１７は後述する散湯ノズル１９の直下の抽出位置にセットされ、このときに抽出口１８ｃが前記貯液タンク１２における液受入口１２ａの上方に臨むよう構成される。
【００１０】
前記抽出機構部１４における本体１５の内部略中央に散湯ノズル１９が配設され、この散湯ノズル１９に連結された散湯管２０を介して、前記抽出位置にセットされた抽出器１７内部のコーヒー豆に熱湯を散布供給(散湯)することにより抽出されたコーヒーが、前記抽出口１８ｃから滴下して前記液受入口１２ａを介して貯液タンク１２に貯留されるようになっている。なお、散湯ノズル１９の端部には、複数の小孔を穿設したスプレーヘッド１９ａが着脱自在に装着され、散湯管２０を介して散湯ノズル１９に供給される熱湯は、該スプレーヘッド１９ａを介してコーヒー豆にシャワー状に散布供給される。
【００１１】
前記本体１５の内部後側所定位置に、図１に示す如く、前記抽出器１７が抽出位置にセットされているか否かを検知する検知手段２１が配設されている。この検知手段２１は、スイッチ本体２１ａと、抽出器１７の前記フランジ１８ａが当接することで傾動する検知板２１ｂとから構成され、該検知板２１ｂは、フランジ１８ａが当接していない状態ではスイッチ本体２１ａから離間して(図４参照)、このときには検知手段２１は非検知状態となるよう設定される。そして、検知板２１ｂにフランジ１８ａが当接して傾動することでスイッチ本体２１ａに近接し(図１参照)、このときに検知手段２１は検知状態となって抽出器１７が抽出位置にセットされていることを検知するようになっている。なお、検知手段２１は図示しない制御手段に接続され、該制御手段では検知手段２１の検知状態においてのみ抽出作業を可能とするよう設定されている。すなわち、検知手段２１の検知状態で抽出スイッチ(図示せず)を入れると熱湯が散湯ノズル１９に供給されて抽出作業が開始されるが、検知手段２１の非検知状態においては、抽出スイッチを入れたとしても熱湯が散湯ノズル１９に供給されず、抽出作業は開始されないよう構成されている。なお、前記抽出機構部１４の本体前面に、前記制御手段に接続する運転ランプ２２が配設され、該ランプ２２は検知手段２１の検知状態で点灯、非検知状態で消灯するよう設定されている。
【００１２】
前記抽出機構部１４における本体１５の前部に、下方の阻止位置と上方の解除位置との間を上下動可能な阻止手段としてのストッパ２３が配設され、該ストッパ２３は常には自重によって阻止位置に臨むよう設定される。このストッパ２３は、図２および図３に示す如く、抽出器１７におけるフランジ形成位置における最大直径より大きな幅寸法に設定されると共に、阻止位置においてその下端は、前記ガイドレール１６,１６に載置されているフランジ１８ａのレベルより下方に臨むよう設定される。またストッパ２３は、前記抽出位置にセットされた状態の抽出器１７におけるフランジ１８ａの端部(本体前側を向く端部)より前方に位置するよう設定される。すなわち、図１に示す如く、抽出器１７を抽出位置にセットした状態において、阻止位置に臨むストッパ２３の後面にフランジ１８ａの端部が当接可能になっており、このまま抽出器１７を本体前側に向けて引出したときには、フランジ１８ａがストッパ２３に当接して抽出器１７の本体１５からの引出し(取外し)が阻止される。そして、図４に示す如く、ストッパ２３を上動して下端がフランジ１８ａのレベルより上方となる解除位置とすることで、抽出器１７の引出しが許容されるようになっている。
【００１３】
前記ストッパ２３の前面には、図１に示す如く、その下端から上側に向かうにつれて前方に傾斜する案内面２３ａが形成されており、阻止位置のストッパ２３の案内面２３ａに対して前側から抽出器１７のフランジ１８ａを押付けることで、該ストッパ２３を解除位置まで上動させ得るよう構成してある。なお、ストッパ２３を、適宜の弾性手段(バネやゴム等)を用いて常には阻止位置に保持するよう構成してもよい。またストッパ２３の下端部における幅方向の略中央には、下方に開放する中央凹部２３ｂが形成されており、抽出位置にセットされた抽出器１７の取手１８ｂが、阻止位置に臨むストッパ２３の中央凹部２３ｂに嵌ることで、中央凹部２３ｂの左右両側におけるストッパ下端がフランジ１８ａのレベルより下方に臨むようになっている。
【００１４】
【第１実施例の作用】
次に、第１実施例に係る抽出器の誤操作防止装置の作用につき、以下に説明する。前記抽出器１７を抽出機構部１４に取付けるときには、前記ストッパ２３の案内面２３ａに、抽出器１７におけるフランジ１８ａを前側から当接して押込むことで、該ストッパ２３は阻止位置から解除位置まで上動し、フランジ１８ａは前記両ガイドレール１６,１６に載置されて取付けられる。すなわち、抽出器１７の取手１８ｂを持っている手とは別の手を用いてストッパ２３を上動させることなく、該抽出器１７の取付け作業を片手で行ない得るようになっている。両ガイドレール１６,１６にフランジ１８ａを載置した状態で、抽出器１７を本体後側に向けて移動させると、前記検知板２１ｂにフランジ１８ａが当接してこれを傾動させ、前記検知手段２１が検知状態となることで、抽出器１７が抽出位置にセットされたことが検知される。このとき、前記制御手段では飲料抽出装置１０を抽出作業が可能な状態とすると共に、前記運転ランプ２２が点灯することで作業者に抽出作業が可能であることを知らせる。
【００１５】
また、前記抽出器１７が抽出位置まで移動すると、図１に示す如く、前記ストッパ２３からフランジ１８ａが離間し、該ストッパ２３は自重で阻止位置まで下動する。すなわち、この状態で抽出器１７を本体前側に引出そうとしても、フランジ１８ａがストッパ２３に当接して移動が規制されるから、当該抽出器１７の本体１５からの取外しは阻止される。
【００１６】
次に、前記抽出スイッチを入れると、前記湯煎タンク中の熱湯が散湯管２０を介して散湯ノズル１９に供給され、該ノズル１９に配設したスプレーヘッド１９ａを介して熱湯が抽出器１７内のコーヒー豆に散布供給され、抽出されたコーヒーが抽出口１８ｃから貯液タンク１２に滴下して貯留される。この場合に、前記ストッパ２３の幅寸法は抽出器１７の最大直径より長くしてあるから、コーヒーの抽出中に漏れる蒸気が本体１５の底面と抽出器１７の上面との隙間から前面に出てくるのを防ぐことができ、本体１５の正面に水滴が付くのを防止し得る。
【００１７】
前記コーヒーの抽出作業の完了後、前記抽出器１７を抽出機構部１４から取外す際には、前記取手１８ｂを持った手の親指等でストッパ２３を解除位置まで押上げた状態で、フランジ１８ａをストッパ２３の下方に臨む位置まで引出せば、後はストッパ２３がフランジ１８ａの上面に乗った状態で抽出器１７を取外すことができる。すなわち、ストッパ２３を押上げる操作を行なわなければ抽出器１７を取外すことはできないから、抽出作業中に作業者が不用意に抽出器１７を抽出機構部１４から取外すのを抑制することができる。従って、散湯中の熱湯や抽出器１７内に溜まっている熱湯が、テーブルや床にこぼれて濡らすことは防止される。なお、ストッパ２３を押上げる操作は片手で簡単に行ない得るから、煩わしい操作となることもない。
【００１８】
【第２実施例】
図５〜図８は、第２実施例に係る抽出器の誤操作防止装置を示すものであって、飲料抽出装置の基本構成は、前述した第１実施例と同じであるから、異なる部分についてのみ説明し、同一部材には同じ符号を付して示すこととする。
【００１９】
第２実施例に係る飲料抽出装置２４は、前記筐体１１の内部に２基の貯液タンク１２,１２が左右に並んで収納されて、その液受入口１２ａ,１２ａが夫々上方に開口している(図５参照)。そして、両液受入口１２ａ,１２ａの上方に配置される抽出機構部１４に取付けられる第２実施例の抽出器２５は、図２に示す如く、前記容器１８の中央から前側(取手側)にずれた位置に抽出口１８ｃが形成されており、前記ガイドレール１６,１６間に取付けられている状態で抽出器２５を左右方向に水平回動することで、抽出口１８ｃを左右の各液受入口１２ａ,１２ａの上方に臨ませ得るよう構成してある(図７参照)。すなわち、抽出口１８ｃからのコーヒーの滴下位置を切換えることで、１基の抽出器２５を用いて、２基の貯液タンク１２,１２にコーヒーを貯留させ得るようになっている。
【００２０】
前記抽出機構部１４における本体１５の前部に配設される第２実施例のストッパ２６は、第１実施例と同様に、下方の阻止位置において抽出器２５の引出しを規制すると共に、上方の解除位置で該抽出器２５の引出しを許容するよう構成されると共に、その前面には下端から上側に向かうにつれて前方に傾斜する案内面２６ａが形成される。またストッパ２６には、図８に示す如く、その下端部に、下方に開放する３つの凹部２６ｂ,２６ｃ,２６ｄが形成されている。各凹部２６ｂ,２６ｃ,２６ｄの幅寸法は、前記抽出器２５の取手１８ｂの幅寸法より僅かに大きく設定され、該凹部２６ｂ,２６ｃ,２６ｄに取手１８ｂが嵌まることで、抽出器２５の左右方向への水平回動が規制されるようになっている。すなわち、左側の左凹部２６ｃに取手１８ｂが嵌まる位置まで抽出器２５を水平回動することで、前記抽出口１８ｃが左側の液受入口１２ａ上方に臨み、右側の右凹部２６ｄに取手１８ｂが嵌まる位置まで抽出器２５を水平回動することで、抽出口１８ｃが右側の液受入口１２ａ上方に臨むよう設定される。なお、中央に位置する中央凹部２６ｂは、第１実施例と同様に、抽出器２５を抽出機構部１４に取付ける際の取手１８ｂの逃げ部として機能する。また各凹部２６ｂ,２６ｃ,２６ｄに取手１８ｂが嵌まった状態で、ストッパ２６の下端は抽出位置にセットされている抽出器２５のフランジ１８ａのレベルより下方に臨むようになっている。
【００２１】
前記中央凹部２６ｂと左右の凹部２６ｃ,２６ｄとの間に位置する両凸部２７,２７における左右両側の角部は所要曲率の円弧状に形成されており、中央凹部２６ｂに取手１８ｂが嵌まっている状態で抽出器２５を水平回動した際には、該取手１８ｂが弧状角部に当接することでストッパ２６が押上げられて位置を変更し得るよう構成される。すなわち、ストッパ２６を手指等で押上げる操作を行なうことなく、抽出器２５を水平回動するだけでコーヒーの抽出先(抽出口１８ｃの位置)を切換えることができるようになっている。
【００２２】
【第２実施例の作用】
次に、第２実施例に係る抽出器の誤操作防止装置の作用につき、第１実施例とは異る作用について、以下に説明する。
【００２３】
前記抽出器２５を抽出位置にセットした状態では、前記検知手段２１が検知状態となり、前記運転ランプ２２が点灯すると共に飲料抽出装置２４は抽出作業が可能な状態となる。またストッパ２６が、抽出器２５のフランジ１８ａの本体前側への移動を規制する阻止位置に臨み、抽出器２５の本体１５からの取外しは阻止されている。なお、抽出機構部１４への抽出器２５の取付けに際しては、前記取手１８ｂはストッパ２６の中央凹部２６ｂと対応する位置に臨み、抽出位置では該中央凹部２６ｂに取手１８ｂが嵌まっている。
【００２４】
この状態で、抽出器２５を左右何れかの方向に水平回動すると、中央凹部２６ｂに嵌まっている取手１８ｂが凸部２７の弧状角部に当接し、更に回動させることでストッパ２６は解除位置まで押上げられて、該凸部２７が前記フランジ１８ａの上面に乗る。そして、取手１８ｂが左右何れかの凹部２６ｃ,２６ｄの位置に到ると、ストッパ２６が再び阻止位置まで下動して対応する凹部２６ｃ,２６ｄに取手１８ｂが嵌まると共に、前記抽出口１８ｃが対応する液受入口１２ａ,１２ａの上方に臨む。すなわち、コーヒーの抽出先を切換えることのできる抽出器２５を抽出機構部１４に取付けた場合においても、各切換え位置においてストッパ２６により抽出器２５の引出しは規制されるから、抽出作業中に抽出器２５を誤って取外すことで熱湯が周囲にこぼれるのを防止し得る。
【００２５】
なお、前記取手１８ｂの上端レベルとフランジ１８ａの上端レベルとを同一に設定すれば、抽出器２５を水平回動して取手１８ｂの上面にストッパ２６の凸部２７が乗った状態で該抽出器２５を本体前側に引出せば、フランジ１８ａの上に凸部２７が移載されるから、そのまま抽出器２５を取外すことができる。すなわち、親指等でストッパ２６を押上げることなく抽出器２５を抽出機構部１４から取外すことが可能である。但し、単に抽出器２５を直線的に引出すだけでなく、一旦左右何れかの方向に水平回動させる操作が必要となるから、作業者が誤って取外してしまうのは抑制される。
【００２６】
【第３実施例】
図９〜図１１は、第３実施例に係る抽出器の誤操作防止装置を示すものであって、飲料抽出装置の基本構成は、前述した第１実施例と同じであるから、異なる部分についてのみ説明し、同一部材には同じ符号を付して示すこととする。すなわち、第３実施例では、前記阻止手段としてのストッパに代えて、ロック機構により抽出器の誤操作を防止するよう構成してある。
【００２７】
第３実施例に係る飲料抽出装置２８は、前記抽出機構部１４における本体１５の内部に、抽出位置にセットされた抽出器１７の抽出作業中における取外しを阻止するためのロック機構２９を備えている。このロック機構２９は、図９に示す如く、本体１５の適宜位置に配設した略コ字状のブラケット３０と、該ブラケット３０の上部に配設された支持板３１と、ブラケット３０および支持板３１を貫通して上下動可能な阻止手段としてのロックピン３２とを備える。このロックピン３２のブラケット３０と支持板３１との間に臨む位置に鍔３２ａが設けられ、該鍔３２ａとブラケット３０との間に弾力的に介挿された圧縮コイルバネ３３により、該ロックピン３２は常に解除位置に持上げられるようになっている。すなわち、ロックピン３２の解除位置では、図１１(ａ)に示す如く、その下端が本体１５の下方に突出せず、前記抽出器１７の前後動を許容するよう構成される。
【００２８】
前記支持板３１の上面に蝶番３４を介して作動板３５が回動可能に配設され、該作動板３５の下面に、前記ロックピン３２の支持板３１から突出する上端が当接するよう構成される。また作動板３５の枢支位置から離間する開放端部に、図示しないソレノイド等の駆動手段に連結されたワイヤ３６の一端部が連結されており、該ワイヤ３６の引張り・弛緩作動により作動板３５が揺動し、ロックピン３２を解除位置と阻止位置とに変化させるよう構成してある。すなわち、ワイヤ３６を引張ることで、図１１(ｂ)に示す如く、ロックピン３２は圧縮コイルバネ３３の弾力に抗して下動し、その下端部を本体１５の下方に所定長さだけ突出する阻止位置に位置決めされる。なお、ロックピン３２の本体１５からの突出位置は、図１０に示す如く、抽出位置にセットされた抽出器１７における容器１８の内部であって、その本体後側に近接する内周面に近接し、ロックピン３２の阻止位置では抽出器１７の本体前側への引出しを阻止するよう構成される。またワイヤ３６を弛緩することで、図１１(ａ)に示す如く、ロックピン３２は圧縮コイルバネ３３の弾力によって前記解除位置まで上動するようになっている。
【００２９】
前記ロック機構２９の駆動手段は、前記検知手段２１が検知状態となったときに、前記ワイヤ３６を引張ってロックピン３２を阻止位置に臨ませるよう作動すると共に、コーヒーの抽出作業が完了したときにワイヤ３６を弛緩してロックピン３２を解除位置に臨ませるよう作動制御される。なお、抽出作業の完了は、例えば前記コーヒー豆への散湯が終了したときにカウントを開始するタイマに予め設定された時間(抽出器１７からのコーヒーの滴下が完了するまでの時間)が経過したことで判断する構成を採用し得る。また第３実施例では、前記圧縮コイルバネ３３、作動板３５、ワイヤ３６および駆動手段から作動手段を構成している。
【００３０】
【第３実施例の作用】
次に、第３実施例に係る抽出器の誤操作防止装置の作用につき、以下に説明する。前記抽出器１７が抽出機構部１４の抽出位置にセットされていない状態では、図１１(ａ)に示す如く、前記ロックピン３２は解除位置に保持されている。この状態で、抽出器１７のフランジ１８ａを前記一対のガイドレール１６,１６に本体前側から取付けると共に後側に向けて移動することで、前記検知板２１ｂにフランジ１８ａが当接して検知手段２１が検知状態となり、前記運転ランプ２２が点灯すると共に、制御手段は飲料抽出装置２８を抽出作業の可能な状態とする。また、前記駆動手段が作動されて前記ワイヤ３６が引張られ、図１１(ｂ)に示す如く、ロックピン３２は圧縮コイルバネ３３の弾力に抗して下動し、その下端部が抽出器１７における容器１８の内部に突出する阻止位置に位置決めされる。すなわち、この状態で抽出器１７を本体前側に引出そうとしても、ロックピン３２に容器１８内面が当接して移動が規制されるから、当該抽出器１７の本体１５からの取外しは阻止される。
【００３１】
次に、前記抽出スイッチを入れると、前記散湯ノズル１９のスプレーヘッド１９ａを介して熱湯が抽出器１７内のコーヒー豆に散布供給され、抽出されたコーヒーが抽出口１８ｃから貯液タンク１２に滴下して貯留される。この場合に、所定量の熱湯の散湯が終了したときにタイマがカウントを開始し、このタイマの設定時間が経過したときに、前記駆動手段が作動されてワイヤ３６を弛緩する。これにより、図１１(ａ)に示す如く、ロックピン３２は圧縮コイルバネ３３の弾力によって前記解除位置まで上動することで、抽出器１７の取外しを許容する状態となる。
【００３２】
すなわち第３実施例においては、ロック機構２９により抽出作業中は抽出器１７の抽出機構部１４からの取外しは阻止されるから、抽出作業中に作業者が不用意に抽出器１７を抽出機構部１４から取外すのを確実に防止することができる。従って、散湯中の熱湯や抽出器１７内に溜まっている湯が、テーブルや床にこぼれて濡らすことは防止される。なお、第３実施例の構成は、前述した第２実施例のように抽出器２５を水平回動することでコーヒーの抽出先を切換える構造のものにも採用可能である。
【００３３】
【第４実施例】
図１２は、第４実施例に係る抽出器の誤操作防止装置を示すものであって、飲料抽出装置の基本構成は、前述した第１実施例と同じであるから、異なる部分についてのみ説明し、同一部材には同じ符号を付して示すこととする。すなわち、第４実施例では、第１実施例のストッパの構成に加えて、抽出表示を行なう表示手段を備えている。
【００３４】
第４実施例に係る飲料抽出装置３７の抽出機構部１４における本体１５の前面には、前記制御手段に接続する２個の表示手段としての表示ランプ３８,３９が配設されている。一方の第１表示ランプ３８は、前記抽出スイッチが入ることによってコーヒー豆に対する熱湯の散湯が開始されることで点灯し、該散湯が終了することで消灯するよう設定されている。また他方の第２表示ランプ３９は、抽出作業が完了したことを表示するものである。なお、抽出作業は、コーヒー豆に対する熱湯の散湯開始から、散湯終了後において、前記抽出器１７に溜まっている熱湯(抽出されたコーヒー)の滴下が完了するまでを云い、前記第３実施例と同様のタイマにより抽出完了が検知されるようになっている。そして第４実施例では、タイマのカウント完了により、第２表示ランプ３９が点灯し、前記抽出器１７が抽出機構部１４から取外されたとき(検知手段２１の非検知状態)に消灯するよう設定されている。
【００３５】
すなわち、第４実施例においては、第１表示ランプ３８が点灯することで抽出作業が開始されたことを表示(抽出表示)すると共に、前記第２表示ランプ３９が点灯することで抽出作業が完了したことを表示(抽出表示)して、作業者に飲料抽出装置３７の運転状態を知らせるよう構成してある。なお、抽出器１７に溜まった熱湯の滴下時間は、コーヒー豆の種類によって異なるので、前記タイマにはある程度多めの設定時間が設定される。
【００３６】
【第４実施例の作用】
次に、第４実施例に係る抽出器の誤操作防止装置の作用につき、第１実施例とは異る作用について、以下に説明する。
【００３７】
前記抽出器１７を抽出位置にセットした状態では、前記ストッパ２３により抽出器１７の本体１５からの取外しは阻止されている。前記抽出スイッチを入れると、前記スプレーヘッド１９ａを介して熱湯が抽出器１７内のコーヒー豆に散布供給される。このとき、前記第１表示ランプ３８が点灯し、作業者は散湯中であることを認識し得る。そして、所定量の熱湯の散湯が終了すると、第１表示ランプ３８が消灯すると共に、前記タイマがカウントを開始し、このタイマの設定時間が経過することで前記第２表示ランプ３９が点灯し、作業者は抽出作業が完了したことを認識し得る。
【００３８】
従って、前記抽出器１７が抽出位置にセットされている状態で、第２表示ランプ３８が点灯している場合は、抽出を行なったコーヒー豆が収容されたままの状態であり、交換する必要があることを判断できる。すなわち、１度抽出されたコーヒー豆から再び抽出するのを抑制することができる。また、第１表示ランプ３８および第２表示ランプ３９の点灯あるいは消灯の状態により、作業者は抽出作業中であるか否かを認識し得るから、抽出作業中に誤って前記ストッパ２３による取外し阻止を解除して抽出器１７を取外すことを抑制し得る。
【００３９】
なお、前記第２表示ランプ３９の点灯状態においては、前記抽出スイッチの入力を受付けないよう設定しておけば、第２表示ランプ３９の表示を見落として抽出スイッチを入れたとしても、再抽出が行なわれることを防止できる。また第４実施例では、２個の表示ランプ３８,３９で飲料抽出装置３７の運転状態を表示するようにしたが、例えば１個の表示ランプ(表示手段)を用い、抽出作業中は点滅させ、作業完了により点灯させたり、あるいは散湯中は早い点滅とすると共に散湯終了から抽出完了まで(ドリップ中)は遅い点滅とし、抽出完了により点灯させることで、運転状況を識別表示することが可能である。また、３個の表示ランプ(表示手段)を用いて、散湯中、ドリップ中、完了を夫々対応するランプの点灯や点滅等により表示するようにしてもよい。
【００４０】
第４実施例の表示手段を用いた抽出表示制御は、第１実施例の構成に限らず、第２または第３実施例の構成のものにも採用可能である。
【００４１】
前述した各実施例では、コーヒーを抽出する飲料抽出装置に採用した場合で説明したが、コーヒー以外の紅茶や緑茶等、他の飲料を抽出するものであってもよい。また、第１実施例のストッパを、第３実施例と同様の機構により検知手段の検知・非検知状態に応じて自動的に上下動させる構成を採用し得る。更には、ストッパやロックピンを上下動させる駆動手段を、抽出機構部の本体内部に配置し、ストッパやロックピンを直に作動させるようにしてもよい。なお、阻止手段は、上下動されるロックピンに代えて、エアシリンダやモータ等の作動手段により阻止位置と解除位置との間を回動されるフック等の手段を採用し得る。また作動手段や検知手段に関しては、実施例の構成に限定されるものでなく、その他各種の機構を採用し得る。
【００４２】
【発明の効果】
以上に説明した如く、本発明の請求項１に係る抽出器の誤操作防止装置によれば、阻止位置に臨むストッパを解除位置に移動させなければ、抽出位置にセットされている抽出器を取外すことはできないから、抽出作業中に作業者が不用意に抽出器を本体から取外すのを抑制することができる。従って、散湯中の熱湯や抽出器内に溜まっている熱湯が、テーブルや床にこぼれて濡らすことは防止される。また、抽出位置にセットされている抽出器を取外す際には、本体の前部に配設したストッパを阻止位置から解除位置へ移動させる操作を必要とするから、抽出作業中に作業者が誤って抽出器を本体から取外すのを抑制し得る。更に、ストッパの前面に、下端から上側に向かうにつれて前方に傾斜する案内面を形成したことで、ストッパの案内面に、抽出器における本体前面を向く端部を前側から当接して押込むことで、該ストッパを阻止位置から解除位置まで上動させ得るから、抽出器の取手を持っている手とは別の手を用いてストッパを上動させることなく、該抽出器の取付け作業を片手で行ない得る。更に、請求項２に係る誤操作防止装置によれば、抽出飲料の滴下位置を切換えることのできる抽出器を本体に取付けた場合においても、各切換え位置においてストッパにより抽出器の取外しを阻止し得るから、抽出作業中に抽出器を誤って取外すことで熱湯が周囲にこぼれるのを防止し得る。
【００４３】
請求項３に係る誤操作防止装置によれば、阻止位置に臨む阻止手段を解除位置に移動させなければ、抽出位置にセットされている抽出器を取外すことはできないから、抽出作業中に作業者が不用意に抽出器を本体から取外すのを抑制することができる。従って、散湯中の熱湯や抽出器内に溜まっている熱湯が、テーブルや床にこぼれて濡らすことは防止される。また、抽出器の抽出位置へのセット状態を検知する検知手段の検知・非検知状態に応じて作動する阻止手段により、抽出作業中は抽出器の本体からの取外しを阻止し得るから、作業者が不用意に抽出器を本体から取外すのを確実に防止し得る。すなわち、抽出器を取外すことが可能か否かを作業者が判断する必要はないから、人的ミスによって抽出器が抽出作業中に取外されて周囲が濡れるのを防ぐことができる。
【００４４】
請求項４に係る誤操作防止装置によれば、表示手段により抽出表示を行なうよう構成したから、作業者は抽出作業中であるか否かを認識することができ、抽出作業中に誤って抽出器を取外すことを抑制し得る。
【図面の簡単な説明】
【図１】  本発明の第１実施例に係る抽出器の誤操作防止装置を採用した飲料注出装置の抽出機構部を一部破断して示す要部側面図である。
【図２】  第１実施例に係る飲料注出装置の抽出機構部を示す正面図である。
【図３】  第１実施例に係る抽出機構部を示す横断平面図である。
【図４】  第１実施例に係る抽出機構部から抽出器を取外す状態を一部破断して示す要部側面図である。
【図５】  第２実施例に係る抽出器の誤操作防止装置を採用した飲料注出装置を示す要部正面図である。
【図６】  第２実施例に係る抽出器の平面図である。
【図７】  第２実施例に係る抽出器と液受入口との関係を示す説明図である。
【図８】  第２実施例に係るストッパの正面図である。
【図９】  本発明の第３実施例に係る抽出器の誤操作防止装置を採用した飲料注出装置の抽出機構部を一部破断して示す要部側面図である。
【図１０】  第３実施例に係る抽出器とロックピンとの関係を示す説明図である。
【図１１】  第３実施例に係るロック機構を示す動作説明図であって、(ａ)はロックピンを解除位置に保持した状態を示し、(ｂ)はロックピンを阻止位置に保持した状態を示す。
【図１２】  本発明の第４実施例に係る抽出器の誤操作防止装置を採用した飲料注出装置の抽出機構部を示す正面図である。
【符号の説明】
１５ 本体，１６ ガイドレール，１７ 抽出器，１８ｂ 取手
１９ 散湯ノズル，２１ 検知手段，２３ ストッパ(阻止手段)
２５ 抽出器，２６ｃ 左凹部(凹部)，２６ｄ 右凹部(凹部)
３２ ロックピン(阻止手段)，３３ 圧縮コイルバネ(作動手段)
３５ 作動板(作動手段)，３６ ワイヤ(作動手段)
【図１】
0003667675.tif 000002
【図２】
0003667675.tif 000003
【図３】
0003667675.tif 000004
【図４】
0003667675.tif 000005
【図５】
0003667675.tif 000006
【図６】
0003667675.tif 000007
【図７】
0003667675.tif 000008
【図８】
0003667675.tif 000009
【図９】
0003667675.tif 000010
【図１０】
0003667675.tif 000011
【図１１】
0003667675.tif 000012
【図１２】
0003667675.tif 000013